(57)【要約】【課題】    本発明の課題は、小便器等の衛生陶器の蓋と本体とを連結する連結シール部を水による劣化から極力防止できる構造を提案することである。【解決手段】  本発明では、蓋を有する衛生陶器であって、前記蓋と衛生陶器本体との係合部には、衛生陶器の外面方向から水回避部、シール部が順に形成されていることを特徴とする蓋を有する衛生陶器とし、また、前記水回避部が、衛生陶器本体の係合面部に形成された溝であることを特徴とした蓋を有する衛生陶器とした。【選択図】  図２
2007270563.tif 000002
【特許請求の範囲】
【請求項１】
蓋を有する衛生陶器であって、前記蓋と衛生陶器本体との係合部には、衛生陶器の外面方向から水回避部、シール部が順に形成されていることを特徴とする蓋を有する衛生陶器。
【請求項２】
前記水回避部が、衛生陶器本体の係合面部に形成された溝であることを特徴とする請求項1記載の蓋を有する衛生陶器。
【請求項３】
前記水回避部が、衛生陶器本体と蓋とによって形成される外面に臨む開口部より、衛陶陶器内方に位置し、且つ、開口部より上方に位置する蓋の凹部と衛生陶器本体の凸部により形成され、該凸部の上面にてシール部が形成されていることを特徴とする請求項１又は請求項２記載の蓋を有する衛生陶器。
【請求項４】
前記シール部が面ファスナーにより形成されることを特徴とする請求項１乃至３の何れかに記載の蓋を有する衛生陶器。
【請求項５】
前記衛生陶器が、小便器又は大便器用であることを特徴とする請求項１乃至４のいずれかに記載の蓋を有する衛生陶器。
【発明の詳細な説明】
【技術分野】
【０００１】
本発明は、小便器、大便器などの衛生陶器の蓋の取り付け構造に関するものである。 
【背景技術】
【０００２】
従来、例えば、図４に示すにパブリックに用いられる小便器１０１は、蓋１０２の落下防止やいたずら防止のために取付ボルト１０４で小便器本体側面から蓋と連結している図示しない固定プレートを用いて小便器本体１０３に固定をしている。この取付ボルト１０４は、目に付きやすい位置にあるため、デザイン性を損なったり、固定のために蓋１０２内に取付ボルト１０４固定用の固定プレートを収納配置する必要があり、蓋１０２の取付け作業性が悪いといった問題点があった。
【０００３】
そこで、デザイン性（見栄え）の向上と作業性の向上を満足させる提案として、小便器の蓋の壁側（後側）の小便をする際の位置から見えない箇所に蓋の固定部分を設け、かつ、その固定方法として、蓋と小便器本体とを連結する連結シール（面ファスナなど）にて固定する構造が提案されている（例えば、特許文献１参照。）。 
【０００４】
この構造は、デザイン性、作業性の点で優れている構造であるが、パブリックで用いられる小便器は、トイレ内に複数個が連立して設けられることが多く、トイレの清掃時には、小便器全体にホースを用いて水が掛けながら清掃することが良くなされている。
【０００５】
面ファスナは、面ファスナ自身は、粘着材で固定されることになるが、清掃の度に水が掛かり、一部は、面ファスナと粘着材との間に滞留し、粘着成分を溶出しり、変質したりして、粘着力が低下し、面ファスナが外れてしまい蓋を固定できなくなるという問題を有していた。
【特許文献１】特開２００１−９０１４１号公報（第５図）
【発明の開示】
【発明が解決しようとする課題】
【０００６】
本発明は、上記問題を解決するためになされたもので、本発明の課題は、連結シール部の水による劣化を極力防止できる構造を提案することである。
【課題を解決するための手段】
【０００７】
上記目的を達成するために発明によれば、蓋を有する衛生陶器であって、前記蓋と衛生陶器本体との係合部には、衛生陶器の外面方向から水回避部、シール部が順に形成されていることを特徴とする蓋を有する衛生陶器とすることにより、シール部が外から見えない構造であることからデザイン性に優れ、かつ、シール部に水が極力いかない構造とすることでシール部の劣化の防止を可能とした。
【０００８】
また、本発明の好ましい態様として、前記水回避部が、衛生陶器本体の係合部に形成された溝とすることで、蓋と小便器本体との間から入ってきた水は、溝に入り、シール部までほとんど到達しなくなる。
【０００９】
さらに、本発明の好ましい態様として、前記水回避部が、衛生陶器本体と蓋とによって形成される外面に臨む開口部より、衛陶陶器内方に位置し、且つ、開口部より上方に位置する蓋の凹部と衛生陶器本体の凸部により形成され、該凸部の上面にてシール部が形成されているようにすることで、シール部が開口部の延長上にないことから浸入する水の影響を受けにくくなる。また、蓋の凹部と衛生陶器本体の凸部が係合して、蓋のずれを防止できるといった効果も期待できる。
【発明の効果】
【００１０】
本発明によれば、連結シール部の水による劣化を極力防止できるという効果がある。
【発明を実施するための最良の形態】
【００１１】
本発明の第１の実施形態について、図面を用いて説明する。
図１は、小便器１の側面図であり、壁面に固定されている。小便器は、陶器製であり、蓋２と小便器本体３からなっている。蓋２内方の空間には、人体感知センサの機能部や、洗浄水の吐水機構だあるバルブユニットが内臓されている。小便器１の外観は、蓋２と小便器本体３とのあわせ面で構成される係合部４が見えるのみであり、ボルトが外観に現れることが無く、一体観のあるデザインを提供しており、小便器表面にあわせ面以外に凹凸がないので、清掃性に優れた構造となっている。
【００１２】
次に、蓋２と小便器本体３との固定構造について図２を用いて説明する。
図２は、図１のA−A線の拡大部分断面図であり、蓋２と小便器本体３との係合部４には、小便器外面（図の左側）から小便器内方位置に水回避部となる溝５が形成されている。更に、溝５の小便器内方位置には、蓋２側と小便器本体３側に面ファスナ６が配置され、蓋２と小便器３とを接合している。溝５の幅は、１０〜２０ｍｍ程度で溝深さは、１０〜２０ｍｍ程度あればよい。
【００１３】
面ファスナ６は、少なくとも蓋の四辺のそれぞれ４箇所、面ファスナの接着力にもよるが、長手方向に２０〜１２０ｃｍあれば良い。
【００１４】
次に、清掃時での水の影響を説明する。
洗浄時水は、従来品同様、蓋２と小便器本体３とのあわせ面の隙間から進入する。進入した水は、溝５に落ち、面ファスナ６へはほとんど到達しないことになる。なお、溝は、小便器１が固定されている壁面側に傾斜するようにし、溝５内の溝が傾斜に沿って流れ、小便器のボウル内に排出できるようにして、水が滞留しないようすることが望ましい。
【００１５】
次に、他の実施形態について図３を用いて説明するが、上記実施形態と同じ部位には、同じ符号を用いる。
図３において、参照符号７は蓋２の係合部４に設けられた凹部であり、この凹部７に対向する位置の小便器本体３の係合部４には、凸部８が形成されている。これら凹部７、凸部８には、面ファスナ６が接着剤等で固定されている。
凹部７と凸部８とは、蓋と小便器本体とを閉める際の位置決めの役割も果たすことができ、水の浸入位置より高い位置に水回避部を形成しているので、面ファスナの水による劣化を防止できる。
【００１６】
上記実施例では、小便器の例を示したが、大便器のタンクの蓋も好適に利用できる。なお、水回避部としても上記２つの実施形態を併用しても良い。
【図面の簡単な説明】
【００１７】
【図１】本発明の実施形態を示す外観図である。
【図２】本発明の実施形態を示す拡大部分断面図である。
【図３】本発明の他の実施形態を示す拡大部分断面図である。
【図４】従来の形態を示す外観図である。
【符号の説明】
【００１８】
１…小便器
２…蓋
３…小便器本体
４…係合部
５…溝（水回避部）
６…シール部
７…凹部
８…凸部
【図１】
2007270563.tif 000003
【図２】
2007270563.tif 000004
【図３】
2007270563.tif 000005
【図４】
2007270563.tif 000006